(57)【要約】【課題】            テントなどの仮設設備で主として冷房に使用する仮設設備用エアコン装置として、最適な構造を提案する。【解決手段】        室外機２が取り付けられたベース６から室外機２よりも背が高い固定部材７を立ち上げ、固定部材７の上部には室内機１を室外機２の反対側に向けて取り付け、室内機１と室外機２との連結配管８類を取り付けて、エアコン装置Ａを構成する。室外機２よりも高い位置の仮設設備Ｂの壁面９に開口１０を設け、固定部材７に取り付けた室内機１を開口１０から仮設設備Ｂの空間Ｃに差込むことで、エアコン装置Ａを仮設設備Ｂに設置し、開口１０に備える閉止手段１１によって開口１０の開口縁を閉止して、仮設設備Ｂの密閉状態を確保する。また、ベース６の前部とベース６の後縁から立ち上げた固定部材７とを連結する逆Ｌ字状の支持枠１２の水平部１２ａの上に、他のエアコン装置Ａのべース６や脚１３を乗せて、積み上げ保管することができる。【選択図】          図１
2006183891.tif 000002
【特許請求の範囲】
【請求項１】
室内機１と室外機２とで構成する主として冷房に使用するエアコン装置Ａであって、そのエアコン装置Ａの室外機２は後面に空気吸込み口３、前面に空気排出口４を備えており、その後面の空気吸込み口３と間隔５を介して、前記室外機２が取り付けられたベース６から室外機２よりも背が高い固定部材７を立ち上げ、
この固定部材７の上部には前記室内機１を前記室外機２の反対側に向けて取り付け、かつ室内機１と室外機２との連結配管８類を前記固定部材７に沿わせて取り付けて、エアコン装置Ａを使用可能状態で保持すると共に、
前記ベース６に設置した室外機２よりも高い位置で固定部材７に取り付けられた室内機１の、後方もしくは室内機１よりも低い位置の仮設設備Ｂの壁面９には、横幅寸法を固定部材７の横幅よりも大きくした開口１０を設け、この開口１０には固定部材７を開口縁との間に介在させながら前記開口１０を閉ざす閉止手段１１を備え、
前記固定部材７に取り付けた室内機１はこの開口１０から仮設設備Ｂ内の空間Ｃに差し込まれ、仮設設備Ｂ内の高所に室内機１が、仮設設備Ｂ外に室外機２が配置されることを特徴とする仮設設備用エアコン装置。
【請求項２】
前記エアコン装置Ａの室内機１の高さ寸法は、室外機２の高さ寸法よりも小さく設定すると共に、
前記固定部材７は前記ベース６の後縁から立ち上げられ、この固定部材７と前記ベース６の前部とを連結する逆Ｌ字状の支持枠１２を設置し、
該支持枠１２の上部を構成する水平部１２ａは前記室外機２よりも高い位置の前記固定部材７と接続しており、
この水平部１２ａの上に他の仮設設備用エアコン装置Ａにおけるベース６もしくはベース６に取り付けた脚１３を載架して、エアコン装置Ａを積み上げ保管することを特徴とする請求項１に記載の仮設設備用エアコン装置。
【発明の詳細な説明】
【技術分野】
【０００１】
この発明はテントなどの仮設設備で主として冷房を行うことができる仮設設備用エアコン装置に関する。
【背景技術】
【０００２】
従来、この種の仮設設備のほぼ密閉された室内空間を冷房暖房するエアコン装置としては、外部に冷暖房機を設置して、仮設設備の空調空気吹き込み口から冷風や温風を吹き込んで冷房や暖房を行う方式が一般的であった。そして、室外空気をそのまま使って、冷風や温風となるように冷却・加熱して仮設設備に吹き込むから、仮設設備内の空気は吹き込まれた空気によって外部に追い出されており、非常に効率が悪く、また、強力な送風機によって空調空気を仮設設備に送り込むために、その騒音が大きく、結局、仮設設備では快適な空調空間が得ることができなかった。
【０００３】
このような欠点を無くすために出願人は特許文献１の構造を提案した。このエアコン装置は冷房と暖房が兼用できるヒートポンプエアコンで実現しており、このエアコンの基本構成は床置き室内機を使い、一つのベース上に床置き室内機と室外機を取り付けて、室内機を仮設設備の内部に位置させることで、通常の室内と同様に室内空気を取り込んで冷却・加熱して冷風・温風を作り出しており、温風は床面に沿って吹き出され、冷風は上方に向けて吹き出されるものであり、一台で冷房と暖房が可能な機器を提案した。
【０００４】
【特許文献１】特開２００３−１３９３８３号公報
【発明の開示】
【発明が解決しようとする課題】
【０００５】
しかしながら、最近の市販のエアコン装置の室内機は、横長の壁掛けタイプが主流となって、床置きタイプの室内機を製造するための熱交換器は汎用品がほとんど無く、特注品となって極めて高価格であり、価格の点で普及が阻害される恐れがある。このため、特許文献１では他の実施例として、伸縮する支柱に汎用の壁掛けタイプの室内機を取り付け、冷房運転時には支柱を伸ばして室内機を高く配置する提案を合わせて行ったが、この機構を実現するためには冷媒配管に可撓性のパイプを使用しなければならず、このパイプは高価な部品であり、壁掛けタイプの室内機の使用はこの構造でも製造し易さの点で解決すべき課題がある。
【０００６】
この発明は簡易パネルを使用する最近の仮設設備であっても、人が出入りする開口部を作るために側壁の一部をテント用生地などで構成し、この部分にファスナーで開閉する出入口を設ける簡易方式の提案もあることから、テントを含むこのような側壁を持つ仮設設備に対象を絞ることによって、使い勝手を良くした仮設設備用のエアコン装置を提案するものである。
【課題を解決するための手段】
【０００７】
この発明は上記課題を解決するもので、室内機１と室外機２とで構成する主として冷房に使用するエアコン装置Ａであって、そのエアコン装置Ａの室外機２は後面に空気吸込み口３、前面に空気排出口４を備えており、その後面の空気吸込み口３と間隔５を介して、前記室外機２が取り付けられたベース６から室外機２よりも背が高い固定部材７を立ち上げ、この固定部材７の上部には前記室内機１を前記室外機２の反対側に向けて取り付け、
かつ室内機１と室外機２との連結配管８類を前記固定部材７に沿わせて取り付けて、エアコン装置Ａを使用可能状態で保持すると共に、前記ベース６に設置した室外機２よりも高い位置で固定部材７に取り付けられた室内機１の、後方もしくは室内機１よりも低い位置の仮設設備Ｂの壁面９には、横幅寸法を固定部材７の横幅よりも大きくした開口１０を設け、この開口１０には固定部材７を開口縁との間に介在させながら前記開口１０を閉ざす閉止手段１１を備え、前記固定部材７に取り付けた室内機１はこの開口１０から仮設設備Ｂ内の空間Ｃに差し込まれ、仮設設備Ｂ内の高所に室内機１が、仮設設備Ｂ外に室外機２が配置されることを特徴とする。
【０００８】
また、前記エアコン装置Ａの室内機１の高さ寸法は、室外機２の高さ寸法よりも小さく設定すると共に、前記固定部材７は前記ベース６の後縁から立ち上げられ、この固定部材７と前記ベース６の前部とを連結する逆Ｌ字状の支持枠１２を設置し、該支持枠１２の上部を構成する水平部１２ａは前記室外機２よりも高い位置の前記固定部材７と接続しており、この水平部１２ａの上に他の仮設設備用エアコン装置Ａにおけるベース６もしくはベース６に取り付けた脚１３を載架して、エアコン装置Ａを積み上げ保管できるようにしたから、災害などで不意に使用しなければならないときまで、狭い倉庫でも沢山の仮設設備用のエアコン装置を積み上げて保管できるようになる。
【発明の効果】
【０００９】
この発明はベース６の室外機２の後方から背高の固定部材７を立ち上げ、この固定部材７の上部に室内機１を取り付けており、この室内機１と室外機２とはあらかじめ配管類や電気配線類の連結配管８の取り付けを済ませており、この状態で室外機２に電源を供給すれば直ちに起動できる状態にあり、災害時などで不意の使用要求があっても、エンジン発電機などで電源を接続するだけで使用できる特徴がある。
【００１０】
また、この装置を仮設設備Ｂに取り付けるときには、あらかじめ、仮設設備Ｂの壁面９には室外機２よりも高い位置に開口１０を設け、前記固定部材７に取り付けた室内機１をこの開口１０から仮設設備Ｂの室内側に差込み、前記開口１０は開口縁同士、また、開口縁と固定部材７との間で閉塞できる閉止手段１１を設けたから、仮設設備Ｂの密閉状態を確保でき、かつ、固定部材７による高い位置に設置した一般家庭用などに使われる横長で冷風を下吹出しする形態の室内機１を使って、効率よく仮設設備Ｂの室内空間を空気調和できるようになった。
【００１１】
また、室内機１を設置する固定部材７は室外機２を設置するベース６の後縁から立ち上げており、一方、ベース６の前縁から上方に立ち上がりながら後方の前記固定部材７に接続する逆Ｌ字状の支持枠１２を取り付け、この逆Ｌ字状の支持枠１２の水平部１２ａの上に、他のエアコン装置Ａのベース６や脚１３を乗せて保管することができたから、前後の狭いスペースに効率よく積み重ねて倉庫などに保管することができる。
【００１２】
先行する特許文献１もエアコン装置Ａを積み重ねることができるが、この発明のような横長で下吹き出しの室内機１を使うときには伸縮機能を追加して高さを低くした状態にしなければ二段積みによる保管はできなかったが、この発明ではすぐに使用できる状態で二段積み、三段積みが可能になった。また、ベース６から固定部材７の高さを二段積みした状態で汎用コンテナーの内部高さに設定すれば、コンテナーによる大量保管が可能になる。
【００１３】
また、本願発明のエアコン装置Ａは災害時に使用される仮設設備Ｂの空気調和を主眼としており、このような災害時には機械の使用が制限され、人手による搬出は三段積みでは無理であるから、倉庫に上部空間があっても二段積みでの保管が前提となる。この発明のエアコン装置Ａは上側の室内機１の高さを積み上げる下側の室外機２よりも高くなる位置関係に設定すれば、実質的に室外機２だけの床面設置スペースで２台が保管できるようになり、大量保管が可能になる。
【発明を実施するための最良の形態】
【００１４】
以下、本発明の実施の形態について図面を参照して説明する。
図１は使用可能状態で保管できるエアコン装置の設置状態を示す一部切欠断面図であって、Ａはエアコン装置、Ｂはこのエアコン装置Ａによって空気調和できる仮設設備、Ｃは仮設設備Ｂの室内の空間であり、この種の仮設設備Ｂは安価な石油ストーブなどでも暖房できるから、仮設設備Ｂの利用者からは冷房需要を望まれ、エアコン装置Ａは冷暖房タイプではなくて冷房専用であってもよい。
【００１５】
１は仮設設備Ｂの内部の空間Ｃに配置される室内機、２は仮設設備Ｂの外部に設置される室外機、８は室内機１と室外機２とを連結する冷媒配管や電機配線などの連結配管である。１４は室外機２に設置した冷媒圧縮機、１５は室外熱交換器、１６は吸込み側に室外熱交換器１５を配置させた送風ファン、３は室外機２の後面側に設けて室外熱交換器１５と対向させた空気吸込み口、４は室外機２の前面側に設けて送風ファン１６の空気を室外機２の外へ排出するための空気排出口であり、前記送風ファン１６が回転すると室外機２の外の空気は空気吸込み口３から室外熱交換器１５を通過して吸込まれて、この室内熱交換器１５を冷却したあとで、送風ファン１６によって空気排出口４から室外機２の外へ排出される。前記冷媒圧縮機１４によって加圧されて高温になった冷媒は室外熱交換器１５に送られ、送風ファン１６によって取り込まれた空気が室外熱交換器１５を通過するときに放熱して液体となり、前記連結配管８をへて室内機１に送られる。室内機１ではこの液状の冷媒が気化する時に仮設設備Ｂの空間Ｃを冷房しており、この室内機１で気化した冷媒は再び室外機２に送られて冷媒圧縮機１４で加圧される循環を行っており、仮設設備Ｂの空間Ｃを冷房することができる。
【００１６】
６は室外機２を設置するための枠で構成したベース、７はベース６の後端部から垂直に立ち上げた固定部材であり、このベース６は室外機２が設置できれば平板状のものや四角枠などで実施でき、図１はこの兼用型であり、設置する室外機２の両側に位置する平行部分のあるベース横枠６ａとその上に差し渡された平板で構成され、この平板の上に室外機２が設置されている。また、固定部材７はベース６の後端の両側から立ち上げた縦枠７ａとその上端部を連結する上枠もしくは連結枠によって構成されており、この上枠もしくは連結枠には前記室外機２とは反対側に向けて前記室内機１が取付けられ、この室内機１の設置位置は室外機２の高さよりも高い位置であり、このような位置に設置することによってエアコン装置Ａは後記する不使用時の収納に便利となる。
【００１７】
１３はベース６に取り付けた脚であり、エアコン装置Ａの使用状態によってはベース６の下面をそのまま脚１３の働きをさせても良い。実施例の脚１３は前記固定部材７の縦枠７ａを更に下方に伸ばして後部脚としており、また、ベース６を構成するベース横枠６ａから下方に伸ばして取り付けられた脚１３を前部脚としている。そして、脚１３を構成するそれぞれの後部脚と前部脚は下端同士を連結脚１３ａで略コ形になるように連結されており、このような連結脚１３ａを脚１３に形成することによって、前記ベース６を地面に直接設置するときに、この地面が不整地であっても、エアコン装置Ａの重量が連結脚１３ａによって分散できるから、傾きなく正しく設置することができる。
【００１８】
７ｂは設置された室外機２の後方で固定部材７の２本の縦枠７ａを差し渡すように配置された横部材、５はこの横部材７ｂと前記室外機２との間に形成される間隔であり、前記室外機２の送風ファン１６が作動する時にこの間隔５から室外機２の後面の空気吸込み口３へ空気を吸引することができる。後記するようにこのエアコン装置Ａは仮設設備Ｂのテント生地で作られた側面に接近して設置されるが、この横部材７ｂによってこのテント生地の動きが止められて、テント生地が室外機２の後面の空気吸込み口３に吸い付いて、空気不足の状態を発生させることを防いでいる。
【００１９】
１７は室内機１に接続したドレン配管であり、前述の冷媒配管や電気配線類などからなる連結配管８と同様に、ドレン配管１７も前記固定部材７の２本の縦枠７ａに沿わせて取り付けられ、この２本の縦枠７ａの片側に一緒に、もしくは両側の縦枠７ａの夫々に固定されている。このドレン配管１７は仮設住宅Ｂ内の空気を冷却した時に除湿された水分が排出されるように室内機１に接続されており、このドレン配管１７の他端は室外機２付近に開口してあれば、仮設設備Ｂの外へ排水することができる。したがって、エアコン装置Ａは図２に示すように前記ベース６と固定部材７とによって一体化された状態で、室内機１と室外機２とを連結する連結配管８も固定部材７に固定されているから、電源さえ供給すれば直ちに使用可能な状態になっており、不意に発生する災害時においてもエアコン装置の設置のための業者による工事は不要となり、だれでも直ちに使用することができる。
【００２０】
図３に示す実施例において、１８はテント生地や簡易パネルなどで作られた仮設設備Ｂの屋根部材、９は仮設設備Ｂの側壁である側面であり、実施例の仮設設備Ｂはテント生地で屋根１８や側面９を構成する一般的なテントの事例を開示しているが、その他の実施例としては簡易パネルを連結して作る仮設設備Ｂであっても良い。そして、この発明のエアコン装置Ａを利用するためには、簡易パネル方式の仮設設備Ｂであっても、少なくとも側面９の一部についてはテント生地で構成した側面９を使うこととする。１０はこのテント生地で構成した側面９に前記エアコン装置Ａの前記ベース６に設置した室外機２よりも高い位置に形成した開口であり、この開口１０の横幅寸法は前記固定部材７の縦枠７ａの間隔よりも広くなっており、図１に示すように前記ベース６から立ち上げた固定部材７の上部に設置した室内機１は、この開口１０から仮設設備Ｂの空間Ｃ内に差し込むことができる。
【００２１】
このため、仮設設備Ｂの室外側のベース６に室外機２が配置され、また、前記仮設設備Ｂの室内側の高い位置に前記固定部材７の高所に取り付けた室内機１が配置されるから、仮設設備Ｂのための専用エアコン装置Ａであっても、家庭用の壁掛けエアコンに使われる各種部品を流用して室内機１が構成できるようになって室内機１は安価に製造できるようになった。このため、災害時などで使用する仮設設備Ｂ用のエアコン装置Ａであっても、販売価格を抑えることができたから、災害対策として多くのエアコン装置を購入して対応することができるようになった。
【００２２】
前記開口１０は室内機１の後方に開けられた時にはこの室内機１の投影面積に対応する大きさにすると良く、この開口１０から直接室内機１を仮設設備Ｂ内の空間Ｃに差し込むことができる。１１はこの開口１０を封鎖するためのテント生地で作られた閉止手段、１１ａは開口１０の周縁と閉止手段１１との間で密着手段を構成する面ファスナーであり、図１及び図３の実施例ではテント生地の閉止手段１１は開口１０の上部で縫い合わされており、前記面ファスナー１１ａは開口１０の側方と下方の周縁に取り付けられている。このため、仮設設備Ｂの側面９に屋外からエアコン装置Ａのベース６を接近させると、固定部材７に設置した室内機１は開口１０から仮設設備Ｂ内に差し込むことができ、その後、閉止手段１１は開口１０の周縁の面ファスナー１１ａと密着させ、このとき、密着部の左右には前記固定部材７の縦枠７ａを挟み込むので、仮設設備Ｂの室内と室外はほぼ密封することができ、外部から隙間風が入るのを防止することができる。また、他の実施例として、前記面ファスナー１１ａを固定部材７の縦枠７ａにも接着しておけば、一方で固定部材７と仮設設備Ｂの側面９、他方で固定部材７と閉止手段１１とが密着するので、仮設設備Ｂは更なる密封性能が向上する。
【００２３】
図４は仮設設備Ｂに使用する他の開口１０の実施例に係るものであり、この開口１０は室外機２よりも高く室内機１よりも低い高さの仮設設備Ｂの側面９に、前記固定部材７の横幅よりも幅広に水平方向に切り開かれており、更に、水平方向に切り開かれた両端から垂直方向にも切り開かれている。そして、先の実施例のように仮設設備Ｂの側面９に取り付けられて開口１０を閉ざす開閉手段１１は、この実施例ではコ字状の切断線で形成される開口１０の内側のテント生地部分がその開閉手段１１を構成しており、この開閉部分を跳ね上げることにより開口１０は四角形の空間として形成できる。１１ｂは切り開かれた開口１０の切断線部分に配置した端接続タイプのスライドファスナーであり、実施例では水平方向に切り開かれた部分を閉ざす横方向のスライドファスナー１１ｂと、その両側の垂直方向に切り開かれた部分を上から下に閉ざす縦方向の二つのスライドファスナー１１ｂによって開口１０が閉ざされる。このため、コ字状の切断線で形成される開口１０から前記室内機１を仮設設備Ｂの室内側に差し込まれた状態で、水平方向のスライドファスナー１１ｂを閉ざすと、前記固定部材７の縦枠７ａは垂直方向に切り開かれた部分に位置するから、この状態で両側の垂直方向のスライドファスナー１１ｂで残った開口１０を閉ざせば、縦枠７ａの周りの空間が閉ざされて、仮設設備Ｂの室内をほぼ密封することができる。
【００２４】
図４（ｂ）の実施例はこの密封状態を更に向上する構成を開示しており、１１ｃは前記縦枠７ａに嵌め込まれるリング状の密封板、１１ｄはこの密封板１１ｃの縦枠７ａを嵌め込む孔の周縁に形成した締め付け部材であり、この締め付け部材１１ｄは結束紐で構成されているから、この結束紐で縦枠７ａを縛ることによって縦枠７ａと密封板１１ｃとの密封は確実にできる。また、この密封板１１ｃには面ファスナー１１ａが取り付けられ、また、対応する仮設設備の側面９にも面ファスナー１１ａが取り付けられているから、図１の面ファスナー１１ａだけで密封するときや、図４（ａ）のスライドファスナー１１ｂで密封するときに、十分な密封が得られないときにはこの密封板を使用すれば更に密封が確実になる。
【００２５】
１２は前記固定部材７の縦枠７ａと前記ベース６のベース横枠６ａの前部とを連結する逆Ｌ字状の支持枠、１２ａは該支持枠１２の上部で構成する水平部であり、この水平部１２ａは前記室外機２よりも少し高い位置の前記固定部材７と接続している。このように、この支持枠１２は室外機２の側外方に位置するから、ベース６に設置した室外機２を保護する効果を得ることができる。
【００２６】
一方、前記ベース６の後縁から立ち上げられた固定部材７に設置される室内機１は、前述のようにベース６に設置した室外機２よりも高い位置で固定部材７に取り付けられており、更に、この室内機１の背の高さを室外機２の背の高さよりも背を低く設定すれば、前記支持枠１２の水平部１２ａの上に他の仮設設備用エアコン装置Ａにおけるベース６もしくはベース６に取り付けた脚１３を載架することが可能になり、下に位置するエアコン装置Ａの室内機１の上方に、上に載架したエアコン装置Ａの室内機１が位置できるようになった。このため、本願発明のエアコン装置Ａは、室外機２及び室内機１の上にもうひとつのエアコン装置Ａの室外機２及び室内機１が位置できるから、いつ発生するかわからない災害時に備えて、エアコン装置Ａを積み重ねて保管できるようになったものである。そして、保管スペースが狭くとも多くのエアコン装置Ａが保管できるという、仮設設備のため最適なエアコン装置を提供することができた。
【００２７】
また、この固定部材７に設置する室内機１の高さ位置を、図５に示すように積み重ねた時に上になる室外機２の高さ、即ち、室内機１の横幅が固定部材７の横幅に匹敵するときには、積み重ねた上になるエアコン装置Ａの水平部１２ａよりも高い位置に室内機１の下端部が位置するように、室内機１を固定部材７に取り付けたときには、二つ積み重ねたエアコン装置Ａの室外機の上方に次のエアコン装置Ａの室内機１が位置できるから、実質的にベース６の投影面積さえあれば２台のエアコン装置Ａが保管できるようになり、更に効率的な保管ができるようになった。
【００２８】
本願発明のエアコン装置Ａは仮設設備Ｂの空気調和を可能とするものであり、このような仮設設備Ｂは通常はパーツに分解したり、テント装置にあっては折り畳んで保管しておき、災害などが発生したときに、人の居住空間としたり災害活動を指揮する場所を提供するものである。このため、常時は保管されていることが前提条件であり、また、災害発生時が春・秋のように空気調和を必要としないときには、エアコン装置Ａは保管したままの状態となり、仮設設備Ｂだけの使用となる。本願発明の仮設設備Ｂには開口１０が設けられており、この開口１０は閉止手段１１によって密封できるから、エアコン装置Ａが不使用時には閉ざした状態となっている。また、この開口１０は開閉手段１１を設けたから時々開いて風を入れ、仮設設備Ｂの換気が可能となる。一方、エアコン装置Ａが使われるのは主として夏の災害時であり、本当に必要とする期間は短いから、結局この種のエアコン装置Ａは如何に狭いスペースで数多く保管できるかが最重要課題となる。しかも、災害時には機械よりも人手に頼る他はなく、倉庫に保管されたエアコン装置Ａは２段積みが扱い易さから好まれる。本願発明は特に２段積みで保管したときに非常に効率よく保管できる特徴があるから、仮設設備用のエアコン装置として、最適な構造を提供するものである。
【図面の簡単な説明】
【００２９】
【図１】この発明のエアコン装置の市場状態を示す一部切欠断面図である。
【図２】この発明の実施例を示すエアコン装置の斜視図である。
【図３】この発明の実施例のエアコン装置を使用できる仮設設備の斜視図である。
【図４】仮設設備に構成する開口の他の実施例を示す説明図である。
【図５】この発明の実施例のエアコン装置を積み上げた保管状態の説明図である。
【符号の説明】
【００３０】
Ａ    エアコン装置
Ｂ    仮設設備
Ｃ    空間
１    室内機
２    室外機
３    空気吸込み口
４    空気排出口
５    間隔
６    ベース
７    固定部材
８    連結配管
９    壁面
１０    開口
１１    閉止手段
１２    支持枠
１２ａ  水平部
１３    脚
【図１】
2006183891.tif 000003
【図２】
2006183891.tif 000004
【図３】
2006183891.tif 000005
【図４】
2006183891.tif 000006
【図５】
2006183891.tif 000007